(57)【要約】  電池モジュールは、複数の素電池を備え、素電池は一方の端部に正極端子及び負極端子が配置されており、複数の素電池は、一方の端部が同じ側に並ぶように配列されているとともに、隣合う素電池が並んだ列からなる電池ブロックを形成しており、配列された複数の素電池の一方の端部の上方には電気絶縁性の板が配置されており、板には、各素電池の正極端子及び負極端子が露出する穴が設けられているとともに、素電池に対向する面とは反対側の面の上に複数の導電性部材が設けられており、導電性部材は、電池ブロックにおける素電池が並んだ列に沿って延びていて、１つの電池ブロックに対して２つ配置されているとともに、１つの電池ブロックに含まれる各素電池の同じ極の端子に穴を通って接続される端子接続部を備えている。
2019058938.tif 000002
【特許請求の範囲】
【請求項１】
複数の素電池を備えた電池モジュールであって、
前記素電池は一方の端部に正極端子及び負極端子が配置されており、
前記複数の素電池は、前記一方の端部が同じ側に並ぶように配列されているとともに、隣合う前記素電池が並んだ列からなる電池ブロックを形成しており、
配列された前記複数の素電池の前記一方の端部の上方には電気絶縁性の板が配置されており、
前記板には、各前記素電池の前記正極端子及び前記負極端子が露出する穴が設けられているとともに、前記素電池に対向する面とは反対側の面の上に複数の導電性部材が設けられており、
前記導電性部材は、前記電池ブロックにおける前記素電池が並んだ前記列に沿って延びていて、１つの前記電池ブロックに対して２つ配置されているとともに、前記１つの前記電池ブロックに含まれる各前記素電池の同じ極の端子に前記穴を通って接続される端子接続部を備えている、電池モジュール。
【請求項２】
前記電池ブロックは前記素電池が配列された列を複数備えている、請求項１に記載の電池モジュール。
【請求項３】
前記導電性部材は板状の金属材料からなる、請求項１又は２に記載の電池モジュール。
【請求項４】
前記導電性部材は金属箔からなる、請求項１又は２に記載の電池モジュール。
【請求項５】
前記端子接続部は、電流の流路断面積を所定の面積以下とすることによるヒューズ機能を備えている、請求項１から４のいずれか一つに記載の電池モジュール。
【請求項６】
前記電池ブロックは３つ以上並んでおり、
端以外の位置に配置された前記導電性部材は、一つの前記電池ブロックにおける複数の前記素電池の前記正極端子に接続されているとともに別の前記電池ブロックにおける複数の前記素電池の前記負極端子に接続されている、請求項１から５のいずれか一つに記載の電池モジュール。
【発明の詳細な説明】
【技術分野】
【０００１】
本発明は、複数の素電池を備えた電池モジュールに関するものである。
【背景技術】
【０００２】
近年、省資源や省エネルギーの観点から、繰り返し使用できるニッケル水素、ニッケルカドミウムやリチウムイオンなどの二次電池の需要が高まっている。中でもリチウムイオン二次電池は軽量でありながら起電力が高く、高エネルギー密度であるという特徴を有している。そのため、携帯電話やデジタルカメラ、ビデオカメラ、ノート型パソコンなどの様々な種類の携帯型電子機器や移動体通信機器の駆動用電源としての需要が拡大している。【０００３】
一方、化石燃料の使用量を低減させるためやＣＯ２の排出量を削減するために、自動車などのモータ駆動用の電源として、あるいは家庭用や産業用の電源として電池モジュールへの期待が大きくなっている。このような電池モジュールの一例として、所望の電圧や容量を得るために、複数の素電池からなりそれらを並列接続及び直列接続した組電池を複数個搭載して構成されているものを挙げることができる。特許文献１にはそのような電池モジュール（バッテリーパック）であって、複数個のバッテリーセルを含み、この複数個のバッテリーセルは、当該複数個のバッテリーセルの第１の端部のところに前記バッテリーセルの第１の端子を有すると共に当該複数個のバッテリーセルの前記第１の端部のところに前記バッテリーセルの第２の端子の複数個の部分を有し、前記複数個のバッテリーセルの前記第１の端部は、同一平面上配置状態にあり、前記複数個のバッテリーセルの前記第１の端部の近くに設けられると共に前記複数個のバッテリーセルを直列接続、並列接続、又は直列及び並列接続のうちの１つの接続状態に配置するよう前記複数個のバッテリーセルの前記第１の端子及び前記第２の端子の前記部分に結合された複数個のバスバーを含むものが開示されている。
【先行技術文献】
【特許文献】
【０００４】
【特許文献１】特表２０１６−５１６２７３号公報
【発明の概要】
【０００５】
しかしながら、特許文献１に開示されている電池モジュールでは、バッテリーセルの端子とバスバーとの接続をワイヤボンドにより行っているため、接続工程における接続加工の時間が長くなりコストも増大するとともに、このボンディング部分が電流密度が最も高くなるためヒューズとしての機能を果たすが、ボンディングワイヤの長さや太さを電池モジュール内で全て同じ長さ、太さにすることが困難であるためヒューズ特性の安定性にかけるという問題があった。
【０００６】
本発明は、かかる点に鑑みてなされたものであり、その目的とするところは、セル同士の接続加工を低コストで行える電池モジュールを提供することにある。
【０００７】
本発明の電池モジュールは、複数の素電池を備えていて、前記素電池は一方の端部に正極端子及び負極端子が配置されており、前記複数の素電池は、前記一方の端部が同じ側に並ぶように配列されているとともに、隣合う前記素電池が並んだ列からなる電池ブロックを形成しており、配列された前記複数の素電池の前記一方の端部の上方には電気絶縁性の板が配置されており、前記板には、各前記素電池の前記正極端子及び前記負極端子が露出する穴が設けられているとともに、前記素電池に対向する面とは反対側の面の上に複数の導電性部材が設けられており、前記導電性部材は、前記電池ブロックにおける前記素電池が並んだ前記列に沿って延びていて、１つの前記電池ブロックに対して２つ配置されているとともに、前記１つの前記電池ブロックに含まれる各前記素電池の同じ極の端子に前記穴を通って接続される端子接続部を備えている構成を有している。
【０００８】
前記電池ブロックは前記素電池が配列された列を複数備えていてもよい。
【０００９】
前記導電性部材は板状の金属材料からなり、金属板もしくは金属箔からなっていてもよい。
【００１０】
前記端子接続部は、電流の流路断面積を所定の面積以下とすることによるヒューズ機能を備えていてもよい。
【００１１】
前記電池ブロックは３つ以上並んでおり、端以外の位置に配置された前記導電性部材は、一つの前記電池ブロックにおける複数の前記素電池の前記正極端子に接続されているとともに別の前記電池ブロックにおける複数の前記素電池の前記負極端子に接続されていてもよい。
【００１２】
本発明では、電気絶縁性の板の面上に複数の導電性部材が設けられていて、それが電気絶縁性の板に設けられた穴を通して電池ブロック内のそれぞれの素電池の同じ極の端子に接続されているので、簡単な構造であって複数の素電池同士の同じ極同士を容易に接続することができる。
【図面の簡単な説明】
【００１３】
【図１】素電池の模式的な断面図である。
【図２】実施形態に係る電池モジュールの模式的な斜視図である。
【図３】実施形態に係る電池モジュールの一部を拡大した図である。
【図４】実施形態に係る電池モジュールの１つのセルの一方の端部側を拡大した図である。
【図５】導電性部材の一例を示す平面図である。
【図６】導電性部材の別の一例を示す平面図である。
【図７】導電性部材の別の一例を示す平面図である。
【図８】導電性部材の別の一例を示す平面図である。
【図９】導電性部材の別の一例を示す平面図である。
【図１０】導電性部材の別の一例を示す平面図である。
【発明を実施するための形態】
【００１４】
以下、本発明の実施形態を図面に基づいて詳細に説明する。以下の好ましい実施形態の説明は、本質的に例示に過ぎず、本発明、その適用物或いはその用途を制限することを意図するものではない。以下の図面においては、説明の簡潔化のため、実質的に同一の機能を有する構成要素を同一の参照符号で示す。
【００１５】
（実施形態１）
＜素電池＞
図１は、本発明の実施形態１における電池モジュールに使用する素電池１０の構成を模式的に示した断面図である。なお、本発明の電池モジュールに使用する電池は、ノート型パソコン等の携帯用電子機器の電源として単体でも使用できる電池であってもよい（以下、電池モジュールに使用する電池を、「素電池」と呼ぶ）。この場合、高性能の汎用電池を、電池モジュールの素電池として使用することができるため、電池モジュールの高性能化、低コスト化をより容易に図ることができる。
【００１６】
本発明の電池モジュールに使用する素電池１０は、例えば、図１に示すような、円筒形のリチウムイオン二次電池を採用することができる。このリチウムイオン二次電池は、通常の構成をなすもので、内部短絡等の発生により電池内の圧力が上昇したとき、ガスを電池外に放出する安全機構を備えている。以下、図１を参照しながら、素電池１０の具体的な構成を説明する。
【００１７】
図１に示すように、正極２と負極１とがセパレータ３を介して捲回された電極群４が、非水電解液とともに、電池ケース７に収容されている。電極群４の上下には、絶縁板９、１１０が配され、正極２は、正極リード５を介してフィルタ１１２に接合され、負極１は、負極リード６を介して負極端子を兼ねる電池ケース７の底部に接合されている。
【００１８】
フィルタ１１２は、インナーキャップ１１３に接続され、インナーキャップ１１３の突起部は、金属製の弁板１１４に接合されている。さらに、弁板１１４は、正極端子８を兼ねる端子板に接続されている。そして、端子板、弁板１１４、インナーキャップ１１３、及びフィルタ１１２が一体となって、ガスケット１１１を介して、電池ケース７の開口部を封口している。なお、電池ケース７は、ガスケット１１１の上端にまで載せられてガスケット１１１を押さえ込むことで、電池ケース７の開口部を強固に封口している。このガスケット１１１の上端に載せられた電池ケース７の上端部分（負極端子７ａ）が端子板（正極端子８）と隣合う位置にあり、円筒の一方側の端部（図では上側）に正極端子８と負極端子７ａとが存していることになる。
【００１９】
素電池１０に内部短絡等が発生して、素電池１０内の圧力が上昇すると、弁体１１４が端子板に向かって膨れ、インナーキャップ１１３と弁体１１４との接合がはずれると、電流経路が遮断される。さらに素電池１０内の圧力が上昇すると、弁体１１４が破断する。これによって、素電池１０内に発生したガスは、フィルタ１１２の貫通孔１１２ａ、インナーキャップ１１３の貫通孔１１３ａ、弁体１１４の裂け目、そして、端子板の開放部８ａを介して、外部へ排出される。
【００２０】
なお、素電池１０内に発生したガスを外部に排出する安全機構は、図１に示した構造に限定されず、他の構造のものであってもよい。
【００２１】
＜電池モジュール＞
図２は本実施形態に係る電池モジュール１００の模式的な斜視図である。なお、この図は、説明のためカバー等を取り外した内部構造を示している。図３は図２の一部を拡大した図であり、図４は電池モジュール１００の中の１つの素電池１０の正極端子８及び負極端子７ａの部分を拡大した図面である。
【００２２】
電池モジュール１００の中には複数の素電池１０，１０，・・が、正極端子８および負極端子７ａが配置されている一方の端部を図２において上側に向けて並べられている。素電池１０，１０，・・の他方の端部は、電池ホルダ１２０に填め込まれて固定されている。素電池１０，１０，・・は電池モジュール１００内で安全性を考慮した上で最密に充填されているので、隣同士がほぼ近接して並べられていて列Ａ，Ｂ，Ｘ，Ｙをなしている。２つの列Ａ，Ｂが電池ブロック２０を構成している。隣の２つの列Ｘ，Ｙは別の電池ブロックを構成している。これらの列はまっすぐに伸びており、複数の列同士が隣合って平行に配置されている。電池モジュール１００の両側端のそれぞれには、これらの列と平行に伸びる正極側集電部材と負極側集電部材が配置され、それらの端部にそれぞれ正極側外部端子接続部１３０と負極側外部端子接続部１４０が設けられている。
【００２３】
素電池１０，１０，・・の一方の端部の上方には絶縁板（電気絶縁性の板）３０が配置されている。絶縁板３０には一つ一つの素電池１０に対応した穴３１がそれぞれ開けられている。穴３１はそれぞれの素電池１０の正極端子８と負極端子７ａとを露出させている。絶縁板３０の素電池１０に対向する面とは反対側の面の上に板状の金属材料からなる導電性部材４０が設けられている。導電性部材４０は絶縁板３０上に複数存しており、各導電性部材４０はスリット４４，４４ａ，４４ｂによって隔てられていて電気的にそれぞれ独立している。
【００２４】
絶縁板３０の材料としては、例えばガラス繊維をエポキシ樹脂で固めた薄板やアクリル（ＰＭＭＡ）やポリカーボネート（ＰＣ）など樹脂製の板を挙げることができる。導電性部材４０の材料としては、例えばアルミニウム、銅などを挙げることができる。
【００２５】
導電性部材４０は、穴３１に対向している部分の大半が除去されて同じように穴が空いている。ただし、正極端子８に接続されている正極端子接続部４１と負極端子７ａに接続されている負極端子接続部４３とは導電性部材４０の穴に突き出している形状となっている。さらには絶縁板３０の穴３１の縁部分において導電性部材４０が穴３１に対して少しオーバーハングした形状となっている。このようにオーバーハングする形状とすることにより、導電性部材４０の面積を大きくすることができ、それにより１つの導電性部材４０を流れる電流量を大きくすることができる。また、導電性部材４０の表面積を大きくすることができ、それにより放熱量を大きくすることができる。
【００２６】
また、負極端子接続部４３のうち、導電性部材４０の本体部分に繋がる連結部分４２が狭幅の短冊形状となっていて、この連結部分４２を通過する単位断面積当たりの電流密度が導電性部材４０の中で最も高くなるように設計されている。即ち、連結部分４２を流れる電流の流路断面積を所定の面積以下にしており、これによって過電流が流れたときに連結部分４２が焼き切れるので、連結部分４２はヒューズの機能を担っていることになる。
【００２７】
導電性部材４０は、レーザーによる切断加工やエッチングなどで形成することが可能である。このような加工をすることにより、それぞれの正極端子接続部４１及び負極端子接続部４３の形状、寸法および断面積のバラツキを小さくすることができる。そのため、負極端子接続部４３の連結部分４２が焼き切れる電流量が、いずれの連結部分４２においてもバラツキなく一定の量にすることができる。
【００２８】
図５は、複数の導電性部材４０’，２００ａ，２００ｂ，・・の全体を示す平面図であるが、図面を見やすくし且つ説明をしやすくするために図２の電池モジュール１００より素電池１０の本数を減らしたものである。図５に示す導電性部材４０’，２００ａ，２００ｂ，・・が用いられる電池モジュールにおいては、縦方向に隣合う１２本の素電池１０，１０，・・が並べられて１つの列を構成しており、この列が１２存在している。そして、この列が２つで１つの電池ブロックを構成しており、全体で６つの電池ブロックが存している。なお、図５には、素電池１０を示していないが、図５に示す導電性部材４０’，２００ａ，２００ｂ，・・を用いた電池モジュール（複数の素電池１０を有している）について以下説明をしていく。
【００２９】
図５に示す導電性部材４０’を用いた電池モジュールにおいては、列Ａと列Ｂとで第１の電池ブロックが構成されており、その隣の列Ｘと列Ｙとで第２の電池ブロックが構成されている。各列はそれぞれ１２本の素電池１０で構成されている。また、導電性部材４０’，２００ａ，２００ｂ，・・は素電池１０の列に沿って延びている。
【００３０】
列Ａと列Ｂとで構成された第１の電池ブロックでは、導電性部材２００ａによって列Ａ，Ｂの全ての素電池の負極端子が接続されている。また、導電性部材２００ａによって、列Ｘと列Ｙとで構成された第２の電池ブロックにおいて列Ｘ，Ｙの全ての素電池の正極端子が接続されている。即ち、導電性部材２００ａは列Ａ，Ｂの全ての素電池の負極を並列接続しているとともに、列Ｘ，Ｙの全ての素電池の正極を並列接続しており、さらに列Ａ，Ｂの全ての素電池の負極と列Ｘ，Ｙの全ての素電池の正極とを直列に接続している。なお、複数の導電性部材のうち、両端に配置された導電性部材は、一方の端の導電性部材が一方の端側の電池ブロックの正極端子を並列接続するのみであり、他方の端の導電性部材が他方の端側の電池ブロックの負極端子を並列接続するのみである。
【００３１】
また、列Ｘと列Ｙとで構成された第２の電池ブロックに対しては、列Ｘ，Ｙの全ての素電池の正極端子が接続される導電性部材２００ａと、列Ｘ，Ｙの全ての素電池の負極端子が接続される導電性部材２００ｂとの２つの導電性部材が配置されている。これはいずれの電池ブロックにおいても同様で、１つの電池ブロックに対して２つの導電性部材が配置されている。
【００３２】
従って、図５に示す電池モジュールは、２４個（１２本×２列）の素電池が並列に接続されて構成された電池ブロックが６個直列接続された構成となっている。そして、電池モジュールの両側端にそれぞれ配置される正極側集電部材および負極側集電部材には、電池モジュールの両側端にそれぞれ配置される一方端及び他方端の導電性部材がそれぞれ電気的に接続される。そのため、素電池の２４並列６直列分の電力を電池モジュールの両側端のそれぞれに設けられる正極側外部端子接続部と負極側外部端子接続部とから出力することができる。
【００３３】
本実施形態においては、穴を開けた絶縁板と金属箔からなる導電性部材との組み合わせにより各素電池からの集電を行うことができるので、構造が簡単であって製造コストを低くできる。また導電性部材は金属箔からなっているので、エッチング等で精度良く低コストで加工をすることができ、各素電池に接続されるヒューズ機能を有した部分の各々も、１つの電池モジュール内で破断電流量のバラツキを小さく抑えることができる。
【００３４】
また、素電池の端子との接続と、集電とを１つの金属箔で行っているので、集電のロスを小さく抑えることができる。なお、素電池として１８６５０を用い、導電性部材として厚み１５０μｍのＡｌ箔を用いると、連結部の幅を１ｍｍ、正極端子接続部の幅を３ｍｍ、隣接する導電性部材の穴間の最小寸法を８ｍｍとすると、２Ａ／セルの電流を流すことができる。
【００３５】
さらに、素電池内に発生したガスは、素電池内の圧力が上昇して素電池の外部へ排出されると、その排出口は金属箔である導電性部材が塞いでいるだけなので、ガスは金属箔を破断して容易に排出され、素電池内の圧力が上がりすぎることはない。
【００３６】
正極端子接続部及び負極端子接続部は、形成する位置、形状などを比較的自由に設計できるので、内部短絡が生じにくい設計とすることができ、安全性を高めることができる。
【００３７】
正極端子接続部と正極端子、及び負極端子接続部と負極端子との接続は、正極端子接続部及び負極端子接続部が金属箔からなっているため、溶接等により比較的容易に且つ確実に行うことができて製造コストを低くできる。
【００３８】
（実施形態２）
実施形態２は、実施形態１とは異なる形状の導電性部材を用い、素電池やそれ以外の部分はほぼ実施形態１と同じであるので、実施形態１とは異なる部分を以下に説明する。
【００３９】
図６に実施形態２に係る導電性部材５０、２０１ａ、２０１ｂ、・・を示す。実施形態２では素電池１０の並んだ列は、実施形態１に示す列とは並ぶ方向が９０度異なっており図の左右の方向に並んでいて、列内の隣合う素電池１０は少し離れており、１つの列に６本の素電池１０，１０，・・が並んでいる。列の数は２４である。
【００４０】
本実施形態では、列Ｊ，Ｋ，Ｌ，Ｍで構成された第１の電池ブロックおよび列Ｒ，Ｓ，Ｔ，Ｕで構成された第２の電池ブロックが形成されており、素電池１０の列が４つで１つの電池ブロックを形成している。
【００４１】
第１の電池ブロックは、導電性部材２０１ａによって４つの列Ｊ，Ｋ，Ｌ，Ｍの全ての素電池の負極端子が接続されている。また、導電性部材２０１ａによって、第２の電池ブロックにおいて４つの列Ｒ，Ｓ，Ｔ，Ｕの全ての素電池の正極端子が接続されている。また、第２の電池ブロックにおいて４つの列Ｒ，Ｓ，Ｔ，Ｕの全ての素電池の負極端子が、導電性部材２０１ｂによって接続されている。
【００４２】
また図示をしていないが、本実施形態では正極側集電部材と負極側集電部材が実施形態１のそれらが伸びる方向と直交するする方向に伸びている。
【００４３】
本実施形態においても、実施形態１と同じ効果を奏する。
【００４４】
（実施形態３）
実施形態３は、実施形態１とは異なる形状の導電性部材を用い素電池やそれ以外の部分は実施形態１と同じであるので、実施形態１とは異なる部分を以下に説明する。
【００４５】
図７に実施形態３に係る導電性部材６０、２０２ａ、２０２ｂ、・・を示す。
【００４６】
本実施形態では、列Ａ１，Ｂ１，Ｃ１で構成された第１の電池ブロックおよび列Ｘ１，Ｙ１，Ｚ１で構成された第２の電池ブロックが形成されており、素電池１０の列が３つで１つの電池ブロックを形成している。
【００４７】
第１の電池ブロックは、導電性部材２０２ａによって３つの列Ａ１，Ｂ１，Ｃ１の全ての素電池の負極端子が接続されている。また、導電性部材２０２ａによって、第２の電池ブロックにおいて３つの列Ｘ１，Ｙ１，Ｚ１の全ての素電池の正極端子が接続されている。また、第２の電池ブロックにおいて３つの列Ｘ１，Ｙ１，Ｚ１の全ての素電池の負極端子が、導電性部材２０２ｂによって接続されている。
【００４８】
本実施形態においても、実施形態１と同じ効果を奏する。
【００４９】
（実施形態４）
実施形態４は、実施形態２とは異なる形状の導電性部材を用い素電池やそれ以外の部分は実施形態２と同じであるので、実施形態２とは異なる部分を以下に説明する。
【００５０】
図８に実施形態４に係る導電性部材７０、２０３ａ、２０３ｂ、・・を示す。
【００５１】
本実施形態では、列Ｊ１，Ｋ１，Ｌ１，Ｍ１，Ｎ１，Ｏ１で構成された第１の電池ブロックおよび列Ｒ１，Ｓ１，Ｔ１，Ｕ１，Ｖ１，Ｗ１で構成された第２の電池ブロックが形成されており、素電池１０の列が６つで１つの電池ブロックを形成している。
【００５２】
第１の電池ブロックは、導電性部材２０３ａによって６つの列Ｊ１，Ｋ１，Ｌ１，Ｍ１，Ｎ１，Ｏ１の全ての素電池の負極端子が接続されている。また、導電性部材２０３ａによって、第２の電池ブロックにおいて６つの列Ｒ１，Ｓ１，Ｔ１，Ｕ１，Ｖ１，Ｗ１の全ての素電池の正極端子が接続されている。また、第２の電池ブロックにおいて６つの列Ｒ１，Ｓ１，Ｔ１，Ｕ１，Ｖ１，Ｗ１の全ての素電池の負極端子が、導電性部材２０３ｂによって接続されている。
【００５３】
また図示をしていないが、本実施形態では正極側集電部材と負極側集電部材が実施形態１のそれらが伸びる方向と直交するする方向に伸びている。
【００５４】
本実施形態においても、実施形態１と同じ効果を奏する。
【００５５】
（実施形態５）
実施形態５は、実施形態１とは異なる形状の導電性部材を用い素電池やそれ以外の部分は実施形態１と同じであるので、実施形態１とは異なる部分を以下に説明する。
【００５６】
図９に実施形態５に係る導電性部材８０、２０４ａ、２０４ｂ、・・を示す。
【００５７】
本実施形態では、列Ａ２で構成された第１の電池ブロックおよび列Ｘ２で構成された第２の電池ブロックが形成されており、素電池１０の列が１つで１つの電池ブロックを形成している。
【００５８】
第１の電池ブロックは、導電性部材２０４ａによって列Ａ２の全ての素電池の負極端子が接続されている。また、導電性部材２０４ａによって、第２の電池ブロックにおいて列Ｘ２の全ての素電池の正極端子が接続されている。また、第２の電池ブロックにおいて列Ｘ２の全ての素電池の負極端子が、導電性部材２０４ｂによって接続されている。
【００５９】
本実施形態においても、実施形態１と同じ効果を奏する。
【００６０】
（実施形態６）
実施形態６は、実施形態２とは異なる形状の導電性部材を用い素電池やそれ以外の部分は実施形態２と同じであるので、実施形態２とは異なる部分を以下に説明する。
【００６１】
図１０に実施形態６に係る導電性部材９０、２０５ａ、２０５ｂ、・・を示す。
【００６２】
本実施形態では、列Ｊ２，Ｋ２で構成された第１の電池ブロックおよび列Ｒ２，Ｓ２で構成された第２の電池ブロックが形成されており、素電池１０の列が２つで１つの電池ブロックを形成している。
【００６３】
第１の電池ブロックは、導電性部材２０５ａによって２つの列Ｊ２，Ｋ２の全ての素電池の負極端子が接続されている。また、導電性部材２０５ａによって、第２の電池ブロックにおいて２つの列Ｒ２，Ｓ２の全ての素電池の正極端子が接続されている。また、第２の電池ブロックにおいて２つの列Ｒ２，Ｓ２の全ての素電池の負極端子が、導電性部材２０５ｂによって接続されている。
【００６４】
また図示をしていないが、本実施形態では正極側集電部材と負極側集電部材が実施形態１のそれらが伸びる方向と直交するする方向に伸びている。
【００６５】
本実施形態においても、実施形態１と同じ効果を奏する。
【００６６】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００６７】
絶縁板と導電性部材とは接着剤等で固定することが好ましい。例えば、穴を開けた絶縁板に金属箔を貼り合わせて、その金属箔をエッチング等で加工することにより、導電性部材を形成する方法が製造コストや精度の点で好ましい。
【００６８】
絶縁板の穴の形状は、正極端子と負極端子とが露出すればどのような形状であっても構わない。
【００６９】
導電性部材の素材及び厚みは、電池モジュールの容量や充放電レートの設定などの設計値によって適宜設定すればよい。金属箔を用いてもよいし、金属板を用いてもよい。
【００７０】
ヒューズの機能を担う部分は、正極側の端子接続部でも構わない。また、ヒューズ機能を発揮するために電流の流路断面積を所定の面積以下とするには、その所定の面積はそれぞれの電池モジュールによって異なるため、１列当たりの素電池の本数、電池ブロックを構成する列の数、導電部材の素材と厚みや面積、電池モジュールの充放電レートの設定などを考慮して所定の面積を設定すればよい。
【符号の説明】
【００７１】
７ａ                                負極端子
８                                  正極端子
１０                                素電池
２０                                電池ブロック
３０                                絶縁板（電気絶縁性の板）
３１                                穴
４０，４０’                        導電性部材
４１                                正極端子接続部
４２                                連結部分
４３                                負極端子接続部
５０，６０，７０，８０，９０        導電性部材
１００                              電池モジュール
２００ａ，２００ｂ                  導電性部材
２０１ａ，２０１ｂ                  導電性部材
２０２ａ，２０２ｂ                  導電性部材
２０３ａ，２０３ｂ                  導電性部材
２０４ａ，２０４ｂ                  導電性部材
２０５ａ，２０５ｂ                  導電性部材
Ａ，Ｂ，Ｘ，Ｙ                      列
Ａ１，Ｂ１，Ｃ１                    列
Ａ２，Ｘ２                          列
Ｊ，Ｋ，Ｌ，Ｍ                      列
Ｊ１，Ｋ１，Ｌ１，Ｍ１，Ｎ１，Ｏ１  列
Ｊ２，Ｋ２，Ｒ２，Ｓ２              列
Ｒ，Ｓ，Ｔ，Ｕ                      列
Ｒ１，Ｓ１，Ｔ１，Ｕ１，Ｖ１，Ｗ１  列
Ｘ１，Ｙ１，Ｚ１                    列
【図１】
2019058938.tif 000003
【図２】
2019058938.tif 000004
【図３】
2019058938.tif 000005
【図４】
2019058938.tif 000006
【図５】
2019058938.tif 000007
【図６】
2019058938.tif 000008
【図７】
2019058938.tif 000009
【図８】
2019058938.tif 000010
【図９】
2019058938.tif 000011
【図１０】
2019058938.tif 000012
【国際調査報告】
2019058938.tif 000013
2019058938.tif 000014
2019058938.tif 000015
2019058938.tif 000016